(57)【特許請求の範囲】
【請求項１】
直流電位が変動する交流信号が入力され、電源電位が分圧抵抗で分圧されて所定の電位が印加される抵抗及びコンデンサにより、入力された前記交流信号を平滑し、直流オフセット電位を検出して基準電位を発生する電圧発生手段と、前記分圧抵抗を流れる電源電流を遮断して前記電圧発生手段をパワーダウン状態に制御するスイッチ手段と、を有する基準電圧発生部と、
前記交流信号及び前記基準電位を入力し、前記交流信号と前記基準電位の電圧レベルを比較してこの比較結果に応じた論理レベルの出力信号を出力する比較手段と、前記比較手段内を流れる電源電流を遮断して前記比較手段をパワーダウン状態に制御する制御手段と、を有する電圧比較部とを備え、
受信状態では前記基準電圧発生部及び前記電圧比較部を動作状態にし、送信状態では前記基準電圧発生部を動作状態にすると共に前記制御手段によって前記電圧比較部をパワーダウン状態にし、休止状態では前記スイッチ手段及び前記制御手段によって前記基準電圧発生部及び前記電圧比較部をパワーダウン状態にする比較回路であって、
前記受信状態へ切り替わる前の前記送信状態において、前記基準電位が前記電源電位の中間電位になるように前記基準電圧発生部が制御されることを特徴とする比較回路。
【請求項２】
受信信号を検波して直流電位が変動する交流信号を出力する検波手段、及び前記検波手段内を流れる電源電流を遮断して前記検波手段をパワーダウン状態に制御するパワーダウン制御手段を有する検波回路と、
請求項１記載の比較回路とを備え、
受信状態では前記検波回路及び前記比較回路を動作状態にし、送信状態では前記基準電圧発生部を動作状態にすると共に前記制御手段及び前記パワーダウン制御手段によって前記電圧比較部及び前記検波回路をパワーダウン状態にし、休止状態では前記スイッチ手段、前記制御手段及び前記パワーダウン制御手段によって前記比較回路及び前記検波回路をパワーダウン状態にする構成にしたことを特徴とする復調回路。
【発明の詳細な説明】
【０００１】
【発明の属する技術分野】
本発明は、移動体通信といった無線通信システム等の受信装置等に用いられる比較回路と、この比較回路を用いた復調回路に関するものである。
【０００２】
【従来の技術】
例えば、無線通信システムに多く用いられるＦＳＫ（Frepuency Shift Keying、周波数シフトキーイング）信号は、この信号周波数と予め規定された搬送波周波数との差等の影響により、復調信号の直流電位にオフセットが発生する。このため、直流オフセット電位に追従が必要な復調回路が、例えば、文献（特開平６−３７８２２号公報）等で提案されている。
【０００３】
図２は、前記文献に記載された従来の復調回路の構成図である。
この復調回路では、直流オフセットに追従するため、受信信号を検波器１で検波した復調信号を、分岐部２によって分岐する。そして、分岐された一方の復調信号を、コンデンサで構成された平滑部３で平滑し、分圧抵抗で構成された基準電圧発生部４によって直流オフセット電圧を検出し、基準電位を出力して電圧比較部５へ送る。電圧比較部５では、基準電圧発生部４から送られてきた基準電位と、分岐部２によって分岐された他方の復調信号とを比較し、この比較結果に応じた論理レベル（“Ｈ”レベルまたは“Ｌ”レベル）の出力信号を出力している。
【０００４】
【発明が解決しようとする課題】
ある種の無線通信システムにおける送受信装置では、送信信号と受信信号が時分割されており、更に送信状態と受信状態が連続で切り替わる場合以外にも、この切り替わり間に休止状態（即ち、電源電圧は印加されているが、送信でも受信でもない状態）を有する場合が存在する。このため、送受信装置が受信状態に切り替わった時点で、受信信号は受信装置にバースト的に到達し、この時の復調信号の直流電位は動的となる。データ誤り無く信号復調するためには、この動的なオフセット電位に追従する必要がある。
【０００５】
しかしながら、従来の図２の復調回路では、電圧比較部５に与える基準電位が、基準電圧発生部４によって電源電圧Ｖｃｃと接地間の抵抗分圧に基づいて生成されるため、送受信装置が送信状態や休止状態でも直流パス（即ち、電源電圧Ｖｃｃと接地間に流れる直流電流）が存在し、電流消費が発生するという課題があった。更に、送信状態時に電力消費を抑えようとすると、復調回路全ての電源をオフ（遮断）する必要があり、これによって受信状態に移行した直後に基準電圧発生部４の出力が安定する時間を必要とするので、到達する動的オフセット変動への追従が遅くなるという課題があった。
【０００６】
本発明は、前記従来技術がもっていた課題を解決し、電力消費を抑制しつつ、受信状態に移行した時に速やかに直流オフセットに追従できる比較回路と、これを用いた復調回路を提供することを目的とする。
【０００７】
前記課題を解決するために、本発明のうちの第１の発明は、直流オフセット電位に追従が必要な比較回路において、基準電圧発生部と、電圧比較部とを備えている。前記基準電圧発生部は、直流電位が変動する交流信号が入力され、電源電位が分圧抵抗で分圧されて所定の電位が印加される抵抗及びコンデンサにより、入力された前記交流信号を平滑し、直流オフセット電位を検出して基準電位を発生する電圧発生手段と、前記分圧抵抗を流れる電源電流を遮断して前記電圧発生手段をパワーダウン状態に制御するスイッチ手段とを有している。更に、前記電圧比較部は、前記交流信号及び前記基準電位を入力し、前記交流信号と前記基準電位の電圧レベルを比較してこの比較結果に応じた論理レベルの出力信号を出力する比較手段と、前記比較手段内を流れる電源電流を遮断して前記比較手段をパワーダウン状態に制御する制御手段とを有している。
【０００８】
そして、受信状態では前記基準電圧発生部及び前記電圧比較部を動作状態にし、送信状態では前記基準電圧発生部を動作状態にすると共に前記制御手段によって前記電圧比較部をパワーダウン状態にし、休止状態では前記スイッチ手段及び前記制御手段によって前記基準電圧発生部及び前記電圧比較部をパワーダウン状態にする。更に、前記受信状態へ切り替わる前の前記送信状態において、前記基準電位が前記電源電位の中間電位になるように前記基準電圧発生部が制御される構成になっている。
【００１３】
第２の発明は、直流オフセット電位に追従が必要な復調回路において、受信信号を検波して直流電位が変動する交流信号を出力する検波手段、及び前記検波手段内を流れる電源電流を遮断して前記検波手段をパワーダウン状態に制御するパワーダウン制御手段を有する検波回路と、第２の発明の比較回路とを備えている。
そして、受信状態では前記検波回路及び前記比較回路を動作状態にし、送信状態では前記基準電圧発生部を動作状態にすると共に前記制御手段及び前記パワーダウン制御手段によって前記電圧比較部及び前記検波回路をパワーダウン状態にし、休止状態では前記スイッチ手段、前記制御手段及び前記パワーダウン制御手段によって前記比較回路及び前記検波回路をパワーダウン状態にする構成になっている。
【００１４】
【発明の実施の形態】
（第１の実施形態）
図１は、本発明の第１の実施形態を示す比較回路の構成図である。
この比較回路は、例えば、無線通信システムを構成する送受信装置の受信装置内に設けられ、入力端子１１，１２，１３及び出力端子１４を有している。入力端子１１は、例えば、検波回路の出力端子に接続され、この検波回路で検波された直流電位が変動する交流信号（即ち、復調信号）Ｓ１１を入力する端子である。入力端子１２，１３は、例えば、パワーダウンの制御信号ＰＤ１，ＰＤ２をそれぞれ入力する端子である。出力端子１４は、出力信号Ｓ１４を出力する回路であり、この出力端子１４にディジタル信号処理回路等が接続されている。ディジタル信号処理回路等では、送受信装置の通信状態（例えば、受信状態、送信状態、休止状態）を検出し、この検出結果に基づき、論理レベルの制御信号ＰＤ１，ＰＤ２を出力し、入力端子１２，１３に供給するようになっている。
【００１５】
入力端子１１には、基準電圧発生部２０の入力端子２０ａが接続されると共に、電圧比較部３０の反転入力端子３０ｂが接続されている。基準電圧発生部２０は、入力端子２０ａの他に、入力端子１２に接続された制御端子２０ｂ、及び基準電位Ｖｒｅｆを出力する出力端子２０ｃを有している。この基準電圧発生部２０は、入力端子２０ａから入力される復調信号Ｓ１１に基づき直流オフセット電位を検出して基準電位Ｖｒｅｆを発生する電圧発生手段と、制御端子２０ｂから入力される制御信号ＰＤ１に基づき前記電圧発生手段内を流れる電源電流を遮断してこの電圧発生手段をパワーダウン状態に制御する第１の制御手段とを有している。出力端子２０ｃは、電圧比較部３０の非反転入力端子３０ａに接続されている。
【００１６】
電圧比較部３０は、非反転入力端子３０ａから入力される基準電位Ｖｒｅｆと反転入力端子３０ｂから入力される復調信号Ｓ１１の電圧レベルとを比較してこの比較結果に応じた論理レベルの出力信号Ｓ１４を出力端子３０ｄから出力する比較手段と、制御端子３０ｃから入力される制御信号ＰＤ２に基づき前記比較手段内を流れる電源電流を遮断してこの比較手段をパワーダウン状態に制御する第２の制御手段とを有している。
【００１７】
このように構成される比較回路の受信状態の動作（１）、送信状態の動作（２）、及び休止状態の動作（３）を説明する。
なお、図１の比較回路は、前提として、例えば入力端子１２，１３に“Ｈ”レベルの制御信号ＰＤ１，ＰＤ２が入力されると、基準電圧発生部２０及び電圧比較部３０がパワーダウン状態となって電力消費を発生しないものとする。
【００１８】
（１）  受信状態の動作
直流電位が変動する復調信号Ｓ１１が入力端子１１に入力されると、この復調信号Ｓ１１が電圧比較部３０の反転入力端子３０ｂへ送られると共に、基準電圧発生部２０の入力端子２０ａへ送られる。基準電圧発生部２０では、入力端子２０ａから入力される復調信号Ｓ１１を平滑化し、この平滑化した直流電位を基準電位Ｖｒｅｆとして出力端子２０ｃから出力し、電圧比較部３０の非反転入力端子３０ａへ送る。電圧比較部３０では、反転入力端子３０ｂから入力された復調信号Ｓ１１の電圧レベルと、非反転入力端子３０ａから入力された基準電位Ｖｒｅｆとを比較し、この比較結果に応じた論理レベルの出力信号Ｓ１４を出力端子３０ｄから出力し、出力端子１４へ送る。この状態が受信状態であり、入力端子１２，１３には共に“Ｌ”レベルの制御信号ＰＤ１，ＰＤ２が入力される。
【００１９】
（２）  送信状態の動作
本比較回路搭載の送受信装置が送信状態に移行した場合、入力端子１２に“Ｌ”レベルの制御信号ＰＤ１が入力され、入力端子１３に“Ｈ”レベルの制御信号ＰＤ２が入力される。このため、電圧比較部３０はパワーダウン状態になり、電力消費を発生しない。一方、基準電圧発生部２０は動作状態であるため、予め設定された一定の電位（例えば、基準電位Ｖｒｅｆ）を発生し続ける。これにより、次に受信状態に移行した場合に、基準電圧発生部２０の出力は速やかに入力信号平滑化電位になることが可能となる。
【００２０】
（３）  休止状態の動作
本比較回路搭載の送受信装置が休止状態に移行した場合、入力端子１１，１３に“Ｈ”レベルの制御信号ＰＤ１，ＰＤ２が入力される。このため、基準電圧発生部２０及び電圧比較部３０は共にパワーダウン状態となり、電力消費を発生しない。
【００２１】
この第１の実施形態では、次のような効果がある。
基準電圧発生部２０及び電圧比較部３０のそれぞれにパワーダウン制御用の制御端子２０ｂ，３０ｃを設けてパワーダウンを個別に制御できるようにし、送受信装置の送信状態では基準電圧発生部２０のみ動作状態とし、送受信装置の休止状態では基準電圧発生部２０と電圧比較部３０を共にパワーダウンさせ、送受信装置の受信状態では、基準電圧発生部２０及び電圧比較部３０を共に動作状態とするよう制御させることにより、送受信装置の運用状態に合わせて効率的に電力消費を抑制できるという効果がある。更に、送受信装置の送信状態では、基準電圧発生部２０は基準電位Ｖｒｅｆを出力し続けるため、次に受信状態に移行した時点で、速やかに直流オフセットに追従できるという効果がある。
【００２２】
（第２の実施形態）
図３は本発明の第２の実施形態を示す比較回路の構成図、及び図４は図３の電圧比較部の概略の構成図であり、第１の実施形態を示す図１中の要素と共通の要素には共通の符号が付されている。
この比較回路は、第１の実施形態と同様に、例えば、無線通信システムを構成する送受信装置の受信装置内に設けられる回路である。
【００２３】
図３に示すように、パワーダウンの制御信号ＰＤ１を入力する入力端子１２は、基準電圧発生部２０の制御端子２０ｂに接続されると共に、その入力端子１２及び１３が、２入力のＯＲ（論理和）回路４１の入力端子に接続されている。ＯＲ回路４１の出力端子は、電圧比較部３０の制御端子３０ｃに接続されている。
【００２４】
基準電圧発生部２０は、分圧抵抗２２，２３と、該分圧抵抗２２を短絡するためのＮチャネル型ＭＯＳトランジスタ（以下「ＮＭＯＳ」という。）２４と、該分圧抵抗２３を短絡するためのＰチャネル型ＭＯＳトランジスタ（以下「ＰＭＯＳ」という。）２５と、平滑用の抵抗２１及びコンデンサ２６とにより構成される電圧発生手段を備えている。更に、制御信号ＰＤ１を反転するインバータ（反転回路）２７、及びスイッチ手段（例えば、ＰＭＯＳ２８、ＮＭＯＳ２９）により構成される第１の制御手段を備えている。
【００２５】
入力端子１１に接続された入力端子２０ａには、抵抗２１の一方の端子、ＮＭＯＳ２４のゲート電極、ＰＭＯＳ２５のゲート電極、及びノードＮ１１が接続されている。抵抗２１の他方の端子には、ＮＭＯＳ２４のソース電極、ＰＭＯＳ２５のソース電極、分圧抵抗２２の一方の端子、分圧抵抗２３の一方の端子、及び出力端子２０ｃが接続されている。分圧抵抗２２の他方の端子には、ＮＭＯＳ２４のドレイン電極及びＰＭＯＳ２８のドレイン電極が接続されている。分圧抵抗２３の他方の端子には、ＰＭＯＳ２５のドレイン電極及びＮＭＯＳ２９のドレイン電極が接続されている。出力端子２０ｃには、コンデンサ２６の一方の端子及び電圧比較部３０の非反転入力端子３０ａが接続されている。コンデンサ２６の他方の端子は、接地されている。
【００２６】
制御端子２０ｂには、インバータ２７の入力端子、及びＰＭＯＳ２８のゲート電極が接続されている。ＰＭＯＳ２８のソース電極は、電源電圧Ｖｃｃに接続されている。インバータ２７の出力端子は、ＮＭＯＳ２９のゲート電極に接続され、このソース電極が接地されている。
【００２７】
図４に示す電圧比較部３０は、例えば、差動増幅回路で構成され、負荷抵抗３１，３２及びＮＭＯＳ３３，３４を有する比較手段と、制御信号ＰＤ１またはＰＤ２によってオン／オフ制御される制御手段（例えば、定電流源）３５とを備えている。電源電圧Ｖｃｃは負荷抵抗３１，３２の一方の端子に接続されている。負荷抵抗３１の他方の端子は、ＮＭＯＳ３３のドレイン電極に接続され、このＮＭＯＳ３３のゲート電極が非反転入力端子３０ａに接続され、ソース電極が定電流源３５の一方の電極に接続されている。負荷抵抗３２の他方の端子には、出力端子３０ｄ及びＮＭＯＳ３４のドレイン電極が接続されている。ＮＭＯＳ３４のゲート電極は反転入力端子３０ｂに接続され、ソース電極が定電流源３５の一方の電極に接続されている。定電流源３５は、他方の電極が接地され、制御端子３０ｃから入力される制御信号ＰＤ１またはＰＤ２に基づきオン（導通）／オフ（非導通）状態となる回路である。
【００２８】
以下、図３及び図４の送信状態の動作（１）、送信状態から受信状態に切り替わった場合の動作（２）、及び休止状態の動作（３）を説明する。
なお、前提として、例えば、電圧比較部３０に入力される制御信号ＰＤ１またはＰＤ２が“Ｈ”レベルの時にこの電圧比較部３０がパワーダウン状態になるとする。また、分圧抵抗２２及び２３は同等な値とする。
【００２９】
（１）  送信状態の動作
送信中は、“Ｌ”レベルの制御信号ＰＤ１が入力端子１２に入力されると共に、“Ｈ”レベルの制御信号ＰＤ２が入力端子１３に入力される。ＯＲ回路４１の出力信号が“Ｈ”レベルとなり、電圧比較部３０の制御端子３０ｃが“Ｈ”レベルとなる。このため、電圧比較部３０内の定電流源３５がオフ状態となってパワーダウン状態となり、電力消費が発生しない。しかし、基準電圧発生部２０の制御端子２０ｂは“Ｌ”レベルであるため、ＰＭＯＳ２８及びＮＭＯＳ２９がオン状態となり、出力端子２０ｃの電位は、分圧抵抗２２及び２３によって電源電圧Ｖｃｃを抵抗分圧した電位（基準電位Ｖｒｅｆ）に固定される。この結果、次に受信状態に切り替わる際の出力端子２０ｃの電位が、電源電圧Ｖｃｃの中間の電位から起動することを可能にする。
【００３０】
（２）  送信状態から受信状態に切り替わった場合の動作
受信中は入力端子１２，１３に“Ｌ”レベルの制御信号ＰＤ１，ＰＤ２が入力される。この時、基準電圧発生部２０内のＰＭＯＳ２８及びＮＭＯＳ２９はオン状態であり、出力端子２０ｃの電位は、電源電圧Ｖｃｃを分圧抵抗２２及び２３によって分圧した電位（Ｖｒｅｆ）を維持し続けるため、状態切り替えに起因する電位変動は発生しない。また、電圧比較部３０の反転入力端子３０ｂの直流電位は、分圧抵抗２１を介して出力端子２０ｃと同電位に固定される。ここで、入力端子１１に復調信号が入力されると、ＦＭ変調の場合、この搬送波周波数と所望周波数との差が直流オフセット電位となってノードＮ１１に現れるため、このノードＮ１１の直流電位はステップ的に変動する。この動的なオフセット電位変動は上昇方向か下降方向かは不定である。
【００３１】
前述したように、出力端子２０ｃの電位は、送信状態から受信状態への切り替わりにおいて電位変動を発生せず、この出力端子２０ｃの電位が安定するまでの収束時間を必要としない。更に、出力端子２０ｃの電位は、電源電圧Ｖｃｃの中間電位から起動するため、瞬時なノードＮ１１の動的オフセット電圧に速やかに追従することが可能である。
【００３２】
例えば、ノードＮ１１の電位が、基準電位ＶｒｅｆよりＮＭＯＳ２４の閾値電圧Ｖｔｈｎ以上に上昇したとすると、このＮＭＯＳ２４がオン状態となり、コンデンサ２６を速やかに充電するため、出力端子２０ｃの電位（Ｖｒｅｆ）も速やかに上昇する。逆に、ノードＮ１１の電位が、基準電位ＶｒｅｆよりＰＭＯＳ２５の閾値電圧Ｖｔｈｐ以上に下降したとすると、このＰＭＯＳ２５がオン状態となり、コンデンサ２６の電荷を速やかに放電するため、出力端子２０ｃの電位（Ｖｒｅｆ）も速やかに下降する。更に、ノードＮ１１の電位の変動が、ＮＭＯＳ２４の閾値電圧Ｖｔｈｎ及びＰＭＯＳ２５の閾値電圧Ｖｔｈｐを超えない程度の変動であれば、出力端子２０ｃとノードＮ１１間の直流的な電位差は小さく、電圧比較部３０にて容易に信号復元が可能である。
【００３３】
本比較回路は、受信状態に切り替わる度に以上のごとく動作し、急峻な直流オフセット変動に追従し、誤り無く信号復元を実施する。
【００３４】
（３）  休止状態の動作
休止状態に切り替わった場合、入力端子１２に“Ｈ”レベルの制御信号ＰＤ１が入力されるため、基準電圧発生部２０内のＰＭＯＳ２８及びＮＭＯＳ２９がオフ状態となってパワーダウン状態となり、更に電圧比較部３０内の定電流源３５がオフ状態となってパワーダウン状態となる。基準電圧発生部２０内では、ＰＭＯＳ２８及びＮＭＯＳ２９がオフ状態となるので、分圧抵抗２２及び２３による直流パスを形成せず、電力消費は一切発生しない。同様に、電圧比較部３０内の定電流源３５がオフ状態となるので、負荷抵抗３１，３２による直流パスを形成せず、電力消費は一切発生しない。
【００３５】
この第２の実施形態では、次のような効果がある。
電圧比較部３０に制御端子３０ｃを設け、また基準電圧発生部２０内の分圧抵抗２２，２３の両端にパワーダウンの制御信号ＰＤ１によって制御されるスイッチ手段であるＰＭＯＳ２８及びＮＭＯＳ２９を設け、更に電圧比較部３０のパワーダウン制御と基準電圧発生部２０のスイッチ制御を個別に制御可能とし、送受信装置が休止状態の時には、ＰＭＯＳ２８及びＮＭＯＳ２９をオフ状態にすると共に、電圧比較部３０内の定電流源３５をオフ状態にしてパワーダウン状態とし、送受信装置が送信状態の時には、ＰＭＯＳ２８及びＮＭＯＳ２９をオン状態にすると共に、電圧比較部３０のみパワーダウン状態とし、送受信装置が受信状態の時には、ＰＭＯＳ２８及びＮＭＯＳ２９をオン状態にすると共に、電圧比較部３０内の定電流源３５をオン状態にして動作状態となるよう制御している。このため、送受信装置の運用状態に応じて消費電力を抑制できるという効果がある。更に、送受信装置が送信状態の時、基準電圧発生部２０は基準電圧Ｖｒｅｆを発生し続け、受信状態に移行した時に速やかに直流オフセットに追従可能という効果がある。
【００３６】
（第３の実施形態）
図５は、本発明の第３の実施形態を示す復調回路の構成図であり、第１及び第２の実施形態を示す図１、図３及び図４中の要素と共通の要素には共通の符号が付されている。
この復調回路１００は、例えば、無線通信システムを構成する送受信装置内に設けられており、検波回路５０、基準電圧発生部２０、及び電圧比較部３０を有している。
【００３７】
検波回路５０は、アンテナからの受信信号を入力端子５０ａから入力してこの受信信号を検波し、直流電位が変動する復調信号を出力端子５０ｃから出力する検波手段と、パワーダウンの制御信号ＰＤ１またはＰＤ２を制御端子５０ｂより入力し、前記検波手段内を流れる電源電流を遮断してこの検波手段をパワーダウン状態に制御する第３の制御手段とを有している。検波回路５０の出力端子５０ｃには、基準電圧発生部２０の入力端子２０ａが接続されている。
基準電圧発生部２０とこの出力側に接続される電圧比較部３０は、図３及び図４と同一の構成である。
【００３８】
また、図５に示すように、パワーダウンの制御信号ＰＤ１，ＰＤ２，ＰＤ３をそれぞれ入力する入力端子１２，１３，１５が設けられている。入力端子１２は、基準電圧発生部２０の制御端子２０ｂに接続されている。入力端子１２及び１３は、２入力のＯＲ回路４１の入力端子に接続され、このＯＲ回路４１の出力端子が、検波回路５０の制御端子５０ｂ及び電圧比較部３０の制御端子３０ｃに接続されている。入力端子１２及び１５は、２入力のＯＲ回路４２の入力端子に接続され、このＯＲ回路４２の出力端子が、送信側回路２００の制御端子２００ａに接続されている。送信側回路２００には、制御端子２００ａから入力されるパワーダウンの制御信号ＰＤ１またはＰＤ３に基づき、内部回路を流れる電源電流を遮断してパワーダウン状態に制御する制御手段が設けられている。
【００３９】
図６は、図５における通信状態とパワーダウンの制御信号ＰＤ１，ＰＤ２，ＰＤ３の真理値を示す図である。この図を参照しつつ、図５の送信状態の動作（１）、送信状態から受信状態に切り替わった場合の動作（２）、及び休止状態の動作（３）を説明する。
【００４０】
この動作説明では、前提として、例えば、送信側回路２００、検波回路５０及び電圧比較部３０に入力されるパワーダウンの制御信号ＰＤ１，ＰＤ２あるいはＰＤ３が全て“Ｈ”レベルでパワーダウン状態になるとする。更に、図３と同様、基準電圧発生部２０内の分圧抵抗２２及び２３は同等な値とする。
【００４１】
（１）  送信状態の動作
送信中は、入力端子１２，１３，１５にそれぞれ“Ｌ”レベルの制御信号ＰＤ１、“Ｈ”レベルの制御信号ＰＤ２、“Ｌ”レベルの制御信号ＰＤ３が入力される。このため、送信側回路２００は動作状態にあるが、入力端子１３に入力される制御信号ＰＤ２が“Ｈ”レベルのため、復調回路１００内の検波回路５０及び電圧比較部３０はパワーダウン状態となり、電力消費が発生しない。しかし、入力端子１２に入力される制御信号ＰＤ１が“Ｌ”レベルであるため、基準電圧発生部２０内のＰＭＯＳ２８及びＮＭＯＳ２９がオン状態となり、出力端子２０ｃの電位は、分圧抵抗２２及び２３によって電源電圧Ｖｃｃを抵抗分圧した電位（Ｖｒｅｆ）に固定される。この結果、次に受信状態に切り替わる際の出力端子２０ｃの電位が、電源電位Ｖｃｃの中間の電位から起動することを可能とする。
【００４２】
（２）  送信状態から受信状態に切り替わった場合の動作
受信中は入力端子１２，１３，１５にそれぞれ“Ｌ”レベルの制御信号ＰＤ１、“Ｌ”レベルの制御信号ＰＤ２、“Ｈ”レベルの制御信号ＰＤ３が入力される。入力端子１５に入力される制御信号ＰＤ３が“Ｈ”レベルのため、送信側回路２００はパワーダウン状態となり、電力消費が発生しない。またこの時も、入力端子１２に入力される制御信号ＰＤ１が“Ｌ”レベルのため、基準電圧発生部２０内のＰＭＯＳ２８及びＮＭＯＳ２９がオン状態であり、出力端子２０ｃの電位は、電源電位Ｖｃｃを分圧抵抗２２及び２３によって分圧した電位（Ｖｒｅｆ）を維持し続けるため、状態切り替えに起因する電位変動が発生しない。また、ノードＮ１１の直流電位は、分圧抵抗２１を介して出力端子２０ｃと同電位に固定される。
【００４３】
ここで、受信信号が検波回路５０で検波されて復調信号が基準電圧発生部２０の入力端子２０ａに送られると、ＦＭ変調の場合、この搬送波周波数と所望周波数との差は直流オフセット電位となってノードＮ１１に現れるので、このノードＮ１１の直流電位はステップ的に変動する。この動的なオフセット電位変動は、上昇方向か下降方向かは不定である。前述したように、出力端子２０ｃの電位は、送信状態から受信状態への切り替わりにおいて電位変動を発生せず、この出力端子２０ｃの電位が安定するまでの収束時間を必要としない。更に、出力端子２０ｃの電位は、電源電圧Ｖｃｃの中間電位から起動するため、瞬時なノードＮ１１の動的オフセット電圧に速やかに追従することが可能である。
【００４４】
例えば、ノードＮ１１の電位が、基準電位ＶｒｅｆよりＮＭＯＳ２４の閾値電圧Ｖｔｈｎ以上に上昇したとすると、このＮＭＯＳ２４がオン状態となり、コンデンサ２６を速やかに充電するため、出力端子２０ｃの電位（Ｖｒｅｆ）も速やかに上昇する。逆に、ノードＮ１１の電位が、基準電位ＶｒｅｆよりＰＭＯＳ２５の閾値電圧Ｖｔｈｐ以上に下降したとすると、このＰＭＯＳ２５がオン状態となり、コンデンサ２６の電荷を速やかに放電するため、出力端子２０ｃの電位（Ｖｒｅｆ）も速やかに下降する。更に、ノードＮ１１の電位の変動がＮＭＯＳ２４の閾値電圧Ｖｔｈｎ及びＰＭＯＳ２５の閾値電圧Ｖｔｈｐを超えない程度の変動であれば、出力端子２０ｃとノードＮ１１間の直流的な電位差は小さく、電圧比較部３０にて容易に信号復元が可能である。
【００４５】
本復調回路は、受信状態に切り替わる度に以上のごとく動作し、急峻な直流オフセット変動に追従し、誤り無く信号復元を実施する。
【００４６】
（３）  休止状態の動作
送信状態から休止状態に切り替わった場合、入力端子１２には“Ｈ”レベルの制御信号ＰＤ１が入力されるため、復調回路１００及び送信用回路２００は全てパワーダウン状態となる。更に、基準電圧発生部２０内のＰＭＯＳ２８及びＮＭＯＳ２９もオフ状態となり、分圧抵抗２２及び２３による直流パスを形成せず、電力消費が一切発生しない。同様に、電圧比較部３０内の定電流源３５もオフ状態となり、負荷抵抗３１，３２による直流パスを形成せず、電力消費が一切発生しない。
【００４７】
休止状態に移行すると、基準電圧発生部２０内のＰＭＯＳ２８及びＮＭＯＳ２９が共にオフ状態になり、更に検波回路５０もパワーダウン状態となって該検波回路５０の出力端子５０ｃが開放状態になるため、基準電圧発生部２０内の出力端子２０ｃが浮遊状態となる。このため、コンデンサ２６に蓄積された電荷は充放電されることがなく、この出力端子２０ｃの電位は送信状態で設定された電源電圧Ｖｃｃの中間電位（Ｖｒｅｆ）を維持し続ける。休止状態から受信状態に移行する場合は、出力端子２０ｃは電源電圧Ｖｃｃの中間電位からの電位変動が発生しない。従って、前述した送信状態から受信状態へ移行した場合と同様に動作する。
【００４８】
この第３の実施形態では、次のような効果がある。
送信側回路２００と復調回路１００内の検波回路５０及び電圧比較部３０にパワーダウンの制御信号を入力するための制御端子２００ａ，５０ｂ，３０ｃを設け、また基準電圧発生部２０内の分圧抵抗２２及び２３の両端にパワーダウンの制御信号によって制御されるスイッチ手段であるＰＭＯＳ２８及びＮＭＯＳ２９を設け、更に送信側回路２００、検波回路５０及び電圧比較部３０のパワーダウン制御と基準電圧発生部２０のＰＭＯＳ２８及びＮＭＯＳ２９の制御を別個に制御可能とし、送受信装置が休止状態の時には、ＰＭＯＳ２８及びＮＭＯＳ２９をオフ状態にすると共に、他の送信側回路２００、検波回路５０及び電圧比較部３０の全てをパワーダウン状態とし、送受信装置が送信状態の時には、送信側回路２００を動作状態にし、基準電圧発生部２０内のＰＭＯＳ２８及びＮＭＯＳ２９をオン状態にすると共に、検波回路５０及び電圧比較部３０をパワーダウン状態とし、送受信装置が受信状態の時には、送信側回路２００のみパワーダウン状態となるよう制御している。このため、送受信装置の運用状態に応じて消費電力を抑制できるという効果がある。更に、送受信装置が送信状態及び休止状態の時、基準電圧発生部２０は基準電圧Ｖｒｅｆを発生し続け、受信状態に移行した時に速やかに直流オフセットに追従可能という効果がある。
【００４９】
（利用形態）
なお、本発明は上記実施形態に限定されず、種々な変形や利用形態が可能である。この変形や利用形態としては、例えば、次の（ａ）、（ｂ）のようなものがある。
（ａ）  図１の比較回路は受信装置内に設けられているが、この比較回路は受信装置以外の他の装置等にも適用が可能である。
【００５０】
（ｂ）  図３、図４及び図５に示す基準電圧発生部２０及び電圧比較部３０は、図示以外のトランジスタ等を用いた他の回路で構成することも可能である。また、図３及び図５では、適用装置として無線通信システムの送受信装置の例を説明したが、バースト信号を扱う光受信装置等のように、直流電位の急峻な変動への追従が必要な装置にも同様に適用できる。
【００５１】
以上詳細に説明したように、第１の発明によれば、直流オフセット電位に追従が必要な比較回路において、基準電圧発生部内の基準電圧発生用の分圧抵抗の直流経路のオン状態及びオフ状態を制御するスイッチ手段を設け、更に前記スイッチ手段を電圧比較部のパワーダウン制御と独立に制御可能とする手段を設け、本発明の比較回路を搭載する装置の送信状態では基準電圧発生部のみ動作状態とし、装置の休止状態では基準電圧発生部及び電圧比較部をパワーダウン状態にしている。このため、本発明の比較回路が搭載される装置の運用状態に応じて、消費電力を抑制できるという効果がある。更に、受信状態へ切り替わる前の送信状態において、基準電位が電源電位の中間電位になるように前記基準電圧発生部が制御されるので、瞬時な交流信号入力ノードの動的オフセット電圧に速やかに追従することが可能となり、電圧比較部における信号復元が容易になる。
【００５３】
第２の発明によれば、直流オフセット電位に追従が必要な復調回路において、本発明の復調回路を搭載する装置の送信状態では、例えば送信側回路と復調回路内の基準電圧発生部のみ動作状態とし、装置の受信状態では復調回路のみ動作状態とし、装置の休止状態では例えば送信側回路及び復調回路全てをパワーダウン状態にしている。これにより、本発明の復調回路が搭載される装置の運用状態に応じて、消費電力を抑制できるという効果がある。更に、受信状態へ切り替わる前の送信状態において、基準電位が電源電位の中間電位になるように前記基準電圧発生部が制御されるので、瞬時な交流信号入力ノードの動的オフセット電圧に速やかに追従することが可能となり、電圧比較部における信号復元が容易になる。
【図面の簡単な説明】
【図１】本発明の第１の実施形態を示す比較回路の構成図である。
【図２】従来の復調回路の構成図である。
【図３】本発明の第２の実施形態を示す比較回路の構成図である。
【図４】図３の電圧比較部の概略の構成図である。
【図５】本発明の第３の実施形態を示す復調回路の構成図である。
【図６】図５の通信状態とパワーダウン制御信号の真理値を示す図である。
【符号の説明】
２０    基準電圧発生部
２１，２２，２３    分圧抵抗
２４，２９    ＮＭＯＳ
２５，２８    ＰＭＯＳ
２６    コンデンサ
３０    電圧比較部
３５    定電流源
５０    検波回路
１００    復調回路
２００    送信側回路
【図１】
0004310026.tif 000002
【図２】
0004310026.tif 000003
【図３】
0004310026.tif 000004
【図４】
0004310026.tif 000005
【図５】
0004310026.tif 000006
【図６】
0004310026.tif 000007